(57)【要約】【課題】二種以上のサイズの券体を搬送し得る券体搬送装置を券体の安定した搬送と券体の円滑な回転とを行い得るように構成する。【解決手段】券体搬送装置ＴＭは、券体をその表裏両面から挟持した状態で搬送する表裏一対の搬送ベルト１と、搬送ベルトの両側に対峙して券体の対辺が夫々摺接する搬送ガイド２１、２２と、券体の搬送経路中でサイズの小さい券体ＴＣの姿勢を９０度回転させて券体の一辺が一方の搬送ガイドに摺接する位置にこの券体を整列させる整列ガイド３とを備える。券体が整列ガイドで９０度回転された後、表ベルト及び裏ベルトの少なくとも一方の表面を転動しながら、この表ベルト及び裏ベルトの少なくとも一方を券体に向けて押圧する押圧手段を備える。【選択図】図２
2014148385.tif 000002
【特許請求の範囲】
【請求項１】
二種以上のサイズの券体を搬送し得る券体搬送装置であって、
券体をその表裏両面から挟持した状態で搬送する表裏一対の搬送ベルトと、搬送ベルトの両側に対峙して券体の対辺が夫々摺接する搬送ガイドと、券体の搬送経路中でサイズの小さい券体の姿勢を９０度回転させて券体の一辺が一方の搬送ガイドに摺接する位置にこの券体を整列させる整列ガイドとを備えるものにおいて、
券体が整列ガイドで９０度回転された後、表ベルト及び裏ベルトの少なくとも一方の表面を転動しながら、この表ベルト及び裏ベルトの少なくとも一方を券体に向けて押圧する押圧手段を備えることを特徴とする券体搬送装置。
【請求項２】
前記券体の搬送方向前辺が当接して前記券体の下流側への移動に伴って揺動する揺動板と、揺動板の支軸に設けられて揺動板の揺動方向と反対方向に揺動する押圧レバーとを備える駆動手段とを更に有し、押圧レバーの一方向への揺動に連動して前記押圧手段が券体から離間した退避位置から券体を押圧する押圧位置に移動され、押圧レバーの他方向への揺動に連動して押圧手段を押圧位置から退避位置に戻す復帰手段が設けられることを特徴とする請求項１記載の券体搬送装置。
【発明の詳細な説明】
【技術分野】
【０００１】
本発明は、二種以上のサイズの券体を搬送し得る券体搬送装置に関し、より詳しくは、例えば、発券装置内に組み込まれて券体をそのサイズによっては姿勢を変えて搬送するために用いられるものに関する。
【背景技術】
【０００２】
例えば、駅等に設置される乗車券の発券装置は、単一の機体で二種以上のサイズの乗車券（券体）を取り扱うように構成されている。ここで、発券装置で発券される乗車券には、長さ８５ｍｍ、幅５７．５ｍｍの第１の券体、長さ１２０ｍｍ、幅５７．５ｍｍの第２の券体、及び、長さが５７．５ｍｍ、幅３０ｍｍの第３の券体（所謂、エドモンソン券）の三種類のサイズがあり、ロール紙を繰り出してカッター等で所定間隔に適宜切断し、上記いずれかのサイズの券体を得るようにしている。そして、上記いずれかのサイズに切断された券体を印字装置に移送したり、印字済みの券体を発券装置の排出口に移送したりするために券体搬送装置が組み込まれ、このとき、比較的サイズの小さい第３の券体のみの姿勢を９０度回転させることが一般的である。
【０００３】
上記のような券体搬送装置は例えば特許文献１で知られている。このものは、券体をその表裏から挟持した状態で搬送する表裏一対の搬送ベルトと、搬送ベルトの両側に対峙して券体の対辺が夫々摺接する搬送ガイド（ガイドプレート）と、券体の搬送経路中でサイズの小さい券体の姿勢を９０度回転させてその一辺が一方の搬送ガイドに摺接する位置にこの券体を整列させる整列ガイド（券体規制部）とを備える。
【０００４】
然しながら、上記従来例の如く、表裏一対の搬送ベルトで券体を挟持させた状態で搬券体を回転させる場合、次の問題がある。即ち、券体（第3の券体）を回転し易くするためには表裏一対の搬送ベルトによる狭持力が弱いことが望ましいものの、挟持力が弱すぎると、券体を安定して搬送できない一方で、上下一対の搬送ベルトによる狭持力が強すぎると、券体を円滑に回転することができないという問題がある。
【先行技術文献】
【特許文献】
【０００５】
【特許文献１】特開２０００−６７２８２
【発明の概要】
【発明が解決しようとする課題】
【０００６】
本発明は、以上の点に鑑み、券体の安定した搬送と券体の円滑な回転とを行い得る券体搬送装置を提供することをその課題とするものである。
【課題を解決するための手段】
【０００７】
上記の課題を解決するために、二種以上のサイズの券体を搬送し得る本発明の券体搬送装置は、券体をその表裏両面から挟持した状態で搬送する表裏一対の搬送ベルトと、搬送ベルトの両側に対峙して券体の対辺が夫々摺接する搬送ガイドと、券体の搬送経路中でサイズの小さい券体の姿勢を９０度回転させて券体の一辺が一方の搬送ガイドに摺接する位置にこの券体を整列させる整列ガイドとを備え、券体が整列ガイドで９０度回転された後、表ベルト及び裏ベルトの少なくとも一方の表面を転動しながら、この表ベルト及び裏ベルトの少なくとも一方を券体に向けて押圧する押圧手段を備えることを特徴とする。
【０００８】
本発明によれば、表裏一対の搬送ベルトに挟持されたサイズの小さい券体が整列ガイドまで搬送され、表裏一対の搬送ベルトによる挟持力のみが券体に作用した状態で整列ガイドにより券体の姿勢が９０回転される。そして、券体の回転が終了すると、押圧手段が表ベルト及び裏ベルトの少なくとも一方の表面を転動しながら、この表ベルト及び裏ベルトの少なくとも一方を券体に向けて押圧することで、表裏一対の搬送ベルトによる挟持力に押圧手段の押圧力が加えられた状態で券体が下流側に搬送される。このように本発明では、券体の姿勢をかえるときには、表裏一対の搬送ベルトによる挟持力のみが券体に作用し、９０度回転された後、好ましくは直後の券体には表裏一対の搬送ベルトによる挟持力と押圧手段による押圧力とが作用するように構成したため、券体の安定した搬送と券体の円滑な回転とが可能となる。
【０００９】
本発明においては、前記券体の搬送方向前辺が当接して前記券体の下流側への移動に伴って揺動する揺動板と、揺動板の支軸に設けられて揺動板の揺動方向と反対方向に揺動する押圧レバーとを備える駆動手段を更に有し、押圧レバーの一方向への揺動に連動して前記押圧手段が券体から離間した退避位置から券体を押圧する押圧位置に移動され、押圧レバーの他方向への揺動に連動して押圧手段を押圧位置から退避位置に戻す復帰手段が設けられることが好ましい。これによれば、簡単な構成で９０度回転された直後の券体に裏ベルトと共に挟持力を作用させることが実現できる。
【図面の簡単な説明】
【００１０】
【図１】本発明の実施形態の券体搬送装置を、券体の表面から視た模式平面図。
【図２】図１のＩＩ−ＩＩに沿う拡大断面図。
【発明を実施するための形態】
【００１１】
以下、図面を参照して、搬送対象物たる券体を上記三種類のサイズのもの（第１の券体、第２の券体及び第３の券体）とし、比較的サイズの小さい第３の券体（以下、「券体ＴＣ」という）を搬送する場合を例に本発明の券体搬送装置の実施形態を説明する。以下においては、上、下、左、右といった方向を示す用語は図２を基準とし、券体ＴＣは、図２中、左側から右側に向けて移動するものとし、左側を上流側、右側を下流側とする。
【００１２】
図１及び図２を参照して、ＴＭは実施形態に係る券体搬送装置である。券体搬送装置ＴＭは、券体ＴＣをその表裏両面から挟持した状態で搬送する表裏一対の搬送ベルト１と、搬送ベルト１の両側に対峙して券体ＴＣの幅方向の対辺が夫々摺接する搬送ガイド２１，２２と、券体ＴＣの姿勢を９０度回転させて券体ＴＣの長さ方向の一辺が、一方の搬送ガイド２１に摺接する位置にこの券体ＴＣを整列させる整列ガイド３とを備える。
【００１３】
搬送ベルト１は、一方の搬送ガイド２１側に設けられ、図２中、上側に位置する表ベルト１ｕと、下側に位置する裏ベルト１ｄとを備える。表ベルト１ｕと裏ベルト１ｄとは、所定間隔を存して配置される、図外のモータを備えた駆動プーリ１１と従動プーリ１２とに夫々掛け回されている。なお、搬送ベルト１としては、公知のものが利用できるため、ここでは詳細な説明を省略する。
【００１４】
搬送ガイド２１，２２は、例えば樹脂製の板材で構成される。この場合、搬送ガイド２１，２２相互間の間隔は、券体ＴＣの長さと同等となるように定寸されている（即ち、第３の券体ＴＣは、幅方向の対辺が夫々摺接することでガイドされ、図外の第１及び第２の両券体は、その長さ方向の対辺が夫々摺接することでガイドされる）。また、他方の搬送ガイド２２（図１では、下側）には、後述のように、整列ガイド３により券体ＴＣがその姿勢を変えるときに券体ＴＣの回転が阻害されないように開口部２１が形成されている。
【００１５】
整列ガイド３は、他方の搬送ガイド２２（図１では、下側）側に設けたガイド部材３１と、このガイド部材３１を券体ＴＣが当接する位置に対して進退させる図外のエアシリンダ等の駆動源とを備える。ガイド部材３１は、例えば樹脂製であり、搬送ベルト１側の側面に案内面３１ａを備えている。この場合、案内面３１ａは、移動する券体ＴＣの他方の搬送ガイド２２側の前辺角部が先ず当接し、次いで、券体ＴＣの更なる移動によりこの券体ＴＣを回転しながら、券体ＴＣの長さ方向の一辺が一方の搬送ガイド２１に摺接する位置まで券体ＴＣを移動させるように形成されている。
【００１６】
また、券体搬送装置ＴＭは、整列ガイド３により９０度回転された直後に、表ベルト１ｕの表面（図２中、上面）を転動しながら、この表ベルト１ｕを券体ＴＣに向けて押圧する押圧手段４と、押圧手段４を表ベルト１ｕに対して進退させる駆動手段５とを備える。押圧手段４は、支持板４１と、この支持板の券体ＴＣの左端下面に設けた一対に支柱４２に軸支された押圧ローラ４３とを備える。支持板４１は、その中央部において図外のフレームに復帰手段としてのコイルバネ４４を介して吊設されている。
【００１７】
一方、駆動手段５は、９０度回転した直後の券体ＴＣの搬送方向前辺が当接して券体ＴＣの下流側への移動に伴って揺動する揺動板５１を備える。揺動板５１は、裏ベルト１ｄの下方向までのびる長さを有し、揺動板５１の下端部には、裏ベルト１ｄの挿通を許容する、下端に向けて開口する切欠部５１ａが形成されている。また、揺動板５１の支軸５２には揺動板５１の揺動方向と反対方向に揺動する押圧レバー５３が設けられている。そして、図２中、実線で示す、押圧ローラ４３が券体ＴＣから離間した退避位置から揺動板５１が揺動すると、押圧レバー５３が一方向に揺動してその先端の押圧部５３ａが支持板４１に当接し、更なる揺動で支持板４１がコイルバネ４４の付勢力に抗して押し下げられ、図２中、二点鎖線で示す、押圧ローラ４３が券体ＴＣを押圧する押圧位置に移動する。そして、券体ＴＣが揺動板５１の下方を通過すると、揺動板５１はその自重で元の姿勢に戻り、このとき、押圧レバー５３の支持板４１への押圧が開放され、コイルバネ４４の付勢力で支持板４１、ひいては押圧ローラ４３が退避位置に戻る。
【００１８】
以上の実施形態によれば、表裏一対の搬送ベルト１に挟持された券体ＴＣが整列ガイド３まで搬送され、表裏一対の搬送ベルト１による挟持力のみが券体ＴＣに作用した状態で整列ガイド３により券体ＴＣの姿勢が９０度回転される。この場合、駆動プーリ１１及び従動プーリ１２から離れるのに従い、表裏一対の搬送ベルト１による券体ＴＣの挟持力が弱くなることから、券体ＴＣの姿勢が円滑に変えることができるように、例えば、駆動プーリ１１及び従動プーリ１２相互の間隔を設定して、搬送ベルト１による挟持力が適宜調節される。そして、券体ＴＣの回転が終了すると、押圧ローラ４３が表ベルト１ｕの表面を転動しながら、この表ベルト１ｕを券体ＴＣに向けて押圧することで、表裏一対の搬送ベルト１による挟持力に押圧ローラ４３の押圧力が加えられた状態で券体ＴＣが下流側に搬送される。これにより、券体ＴＣの姿勢をかえるときには、表裏一対の搬送ベルト１による挟持力のみが券体ＴＣに作用し、９０度回転された直後の券体ＴＣには表裏一対の搬送ベルト１による挟持力と押圧ローラ４３による押圧力とが作用するように構成したため、券体ＴＣの安定した搬送と券体ＴＣの円滑な回転とが可能となる。その上、券体ＴＣの移動に伴って連動する押圧手段４と駆動手段５とにより、９０度回転された直後の券体ＴＣに裏ベルト１ｄと共に挟持力を作用させることが実現できる。
【００１９】
以上、本発明の実施形態について説明したが、本発明は、上記実施形態に限定されるものではない。上記実施形態では、券体ＴＣの移動に伴って連動する押圧手段４と駆動手段５とで、券体ＴＣが姿勢をかえた直後に表ベルト１ｕに押圧力が作用するようにしたものを例に説明したが、これに限定されるものではない。表裏一対の搬送ベルト１による挟持力に応じて券体ＴＣが揺動板５１を通過するまでに表ベルト１ｕに押圧力が作用すればよく、また、例えば、搬送される券体ＴＣの姿勢を検出する撮像手段やセンサを設けると共に、支持板４１をモータやエアーシリンダの駆動軸に直結し、撮像手段やセンサからの出力に基づいて表ベルト１ｕに押圧力が作用するようにしてもよい。この場合、モータやエアーシリンダは復帰手段も兼用する。
【００２０】
また、上記実施形態では、表ベルト１ｕに押圧力を作用させる押圧ローラ４３を設けたものを例に説明したが、押圧ローラは、裏ベルト１ｄまたは表ベルト１ｕと裏ベルト１ｄとの両者に押圧力が作用するように設けてもよく、更に、券体ＴＣの移動を阻害せず、裏ベルト１ｄと共に券体ＴＣに挟持力を作用させることができれば、押圧ローラに変えて、例えば、球体を用いることもできる。
【００２１】
更に、上記実施形態では、第３の券体ＴＣの姿勢を９０度回転させるものとして、整列ガイド３を用いたものを例に説明したが、これに限定されるものではなく、ピン等を用いて回転させるようにしてもよい。なお、表裏一対の搬送ベルト１に挟持された券体ＴＣが整列ガイド３まで搬送され、表裏一対の搬送ベルト１による挟持力のみが券体ＴＣに作用した状態で整列ガイド３により券体ＴＣの姿勢が９０度回転される以外の搬送経路においては、ローラ等を設けて表ベルト及び裏ベルトの少なくとも一方を券体に向けて押圧し、円滑に券体が搬送されるようにしてもよい。
【符号の説明】
【００２２】
ＴＭ…券体搬送装置、１…搬送ベルト、１ｕ…表ベルト、１ｄ…裏ベルト、２１、２２…搬送ガイド、３…整列ガイド、４…押圧手段、４３…押圧ローラ（駆動手段）、４４…コイルバネ（復帰手段）、５…駆動手段、５１…揺動板、５２…押圧レバー、ＴＣ…券体（第３の券体）。
【図１】
2014148385.tif 000003
【図２】
2014148385.tif 000004